(57)【要約】【課題】溝付き部材の溝部に対してナットを装入する際、ナットを保持具により保持した状態で溝開口から溝内部に所定姿勢となるように装入可能とした溝部装入用ナット保持装置を提供する。【解決手段】保持具(8)の保持部(9)にナット(3)を保持させた状態で、溝部(2)の溝開口(2d)に対して横向き姿勢として挿入すると共に、溝内部(2a)で更に押し込むことにより、ナット(3)を所定姿勢状態で保持するように構成されており、前記保持具(8)は、前記保持部(9)の側部に位置する基部(14)から傾斜方向に延びる変形自在部(16)を備えた弾性支持部(10)を延設し、前記変形自在部(16)の先端に接支部(15)を設けている。【選択図】図２
2017115956.tif 000002
【特許請求の範囲】
【請求項１】
開口縁に対向して設けたリップ(1a,1a)により内部幅Ｗ１よりも開口幅Ｗ２を狭くすると共に溝底(2b)から前記リップまでの深さＤを有する溝部(2)を備えた溝付き部材(1)と、
横幅Ｗ３を前記内部幅Ｗ１及び開口幅Ｗ２に対してＷ１＜Ｗ３＜Ｗ２に形成すると共に溝内部(2a)から雌ネジ(4)を溝開口(2d)に臨ませた状態で前記リップ(1a,1a)に当接する当接部(6a,6a)を設けたナット(3)に関して、
前記ナット(3)を保持した状態で溝開口(2d)から溝内部(2a)に装入される保持具(8)を構成しており、
前記保持具(8)は、雌ネジの両端を露出させた状態でナット(3)を保持する保持部(9)と、雌ネジの軸線に臨んで保持部(9)から離間した位置に配置される接支部(15)を備えた弾性支持部(10)を備え、
前記保持部(9)は、横幅Ｗ４を前記内部幅Ｗ１に対してＷ４＜Ｗ１に形成されると共に保持したナットを含む厚みＴを前記開口幅Ｗ２に対してＴ＜Ｗ２に形成され、
前記弾性支持部(10)は、保持部の幅方向の側部(9a)に形成された基部(14)から前記接支部(15)に向けて傾斜方向に延びる変形自在部(16)を形成し、
前記変形自在部(16)は、雌ネジの軸線方向における前記当接部(6a)から接支部(15)までの距離に関して、非変形時には距離Ｌ１を前記深さＤに対してＤ＜Ｌ１とした状態で保形されると共に、変形時には距離Ｌ２を前記開口幅Ｗ２に対してＬ２＜Ｗ２とするまで弾性変形可能となるように構成されて成ることを特徴とする溝部装入用ナット保持装置。
【請求項２】
前記保持具(8)は、前記保持部(9)と前記弾性支持部(10)をプラスチックにより一体成形しており、
前記弾性支持部(10)は、前記変形自在部(16)を前記基部(14)から片持ち状に延設し、先端の自由端部に前記接支部(15)を設けて成ることを特徴とする請求項１に記載の溝部装入用ナット保持装置。
【請求項３】
前記弾性支持部(10)は、前記変形自在部(16)に前記接支部(15)に向けて湾曲する弓状部(19)を形成すると共に、前記接支部(15)を折返し方向に湾曲させることによりアール部(20)を設けて成ることを特徴とする請求項１又は２に記載の溝部装入用ナット保持装置。
【請求項４】
前記保持部(9)の幅方向の側部(9a)に、前記変形自在部(16)の傾斜方向に向けて傾斜するテーパ面(17)を形成して成ることを特徴とする請求項１、２又は３に記載の溝部装入用ナット保持装置。
【請求項５】
前記ナット(3)と共に前記保持具(8)を溝内部(2a)に装入し、前記当接部(6a,6a)をリップ(1a,1a)に当接させた状態で、前記リップの間に嵌入する廻り止め手段(7a,7a)を前記ナット(3)と前記保持具(8)の少なくとも一方に設けて成ることを特徴とする請求項１、２、３又は４に記載の溝部装入用ナット保持装置。
【発明の詳細な説明】
【技術分野】
【０００１】
本発明は、溝付き部材の溝部に対して、ナットを保持した状態で溝開口から装入可能であると共に、溝内部でナットを所定姿勢に保持するための溝部装入用ナット保持装置に関する。
【背景技術】
【０００２】
従来、種々の架台等の構築に際し、型材等から成る溝付き部材の溝部にナットを装入した状態で、該ナットにボルトを締着することにより金具等を固着している。
【０００３】
前記溝付き部材は、溝開口に対向するリップを設けることにより、溝の内部幅よりも開口幅を狭くするように形成されており、従って、溝内部に装入されたナットは、リップに当接することにより抜止め状態でボルトを締着可能とする。
【０００４】
型材等の長尺材の場合、溝内部に数個のナットが所定間隔をあけて装入される。一般的には、溝付き部材の長手方向の端部から所定個数のナットを順に摺動させながら挿入した後、溝開口から挿入した作業者の指先により溝内部のナットを所定位置に移動させた状態でボルトを締着している。
【０００５】
しかしながら、ナットの装入が煩雑であるため作業性が悪く、しかも、例えば、ナットの装入を終えて溝付き部材の長手方向の端部をキャップ部材で閉鎖した後に、ナットの個数が所定個数より少ないことが判明したとき等は、キャップ部材を取外し、再びナットを装入しなければならないという問題がある。
【０００６】
このため、溝付き部材の溝部に対して、ナットを溝開口から装入可能にすると共に、装入されたナットを溝内部において所定姿勢で保持するための保持装置を提供することが望まれている。
【先行技術文献】
【特許文献】
【０００７】
【特許文献１】特開平７−２９３５３６号公報
【発明の概要】
【発明が解決しようとする課題】
【０００８】
上記特許文献１は、一対の拡開方向に弾発付勢されたくの字状の脚部を備えたクリップ状の板バネから成る保持部材をナットの切欠き取付部に設けた保持装置が提案されている。これによれば、脚部の先端方向に移動させたナットの切欠き取付部により一対の脚部を閉じさせ、この状態で保持部材と共にナットを傾斜姿勢として溝開口から溝内部に装入し、その後、溝内部で一対の脚部を拡開させることにより、ナットを押上げつつ溝開口縁のリップに当接させるものであると説明されている。
【０００９】
しかしながら、傾斜姿勢として溝開口から溝内部に装入した状態において、一対の脚部はナットの切欠き取付部により閉じた状態で拘束されているため、自動的に拡開することは困難であり、従って、保持部材及びナットが傾斜した偏位姿勢のままで溝内部に固定されるおそれがある。そして、このように固定された状態から、切欠き取付部の拘束を解くことにより脚部を拡開させるためには、別途準備した治具等を溝内部に挿入し、ナットを跳ね上げる等の煩雑な作業を強いられるという問題がある。
【００１０】
本発明は、上記の問題を解決した溝部装入用ナット保持装置を課題としており、ナットを保持具に保持させた状態で、溝開口に対してナットと共に保持具を横向き姿勢として挿入することができ、溝内部に押し込まれた保持具を更に押し込むと、溝内部で好適に姿勢を変更し、ナットを所定姿勢とした状態で保持することができる溝部装入用ナット保持装置を提供するものである。
【課題を解決するための手段】
【００１１】
そこで、本発明が手段として構成したところは、開口縁に対向して設けたリップにより内部幅Ｗ１よりも開口幅Ｗ２を狭くすると共に溝底から前記リップまでの深さＤを有する溝部を備えた溝付き部材と、横幅Ｗ３を前記内部幅Ｗ１及び開口幅Ｗ２に対してＷ１＜Ｗ３＜Ｗ２に形成すると共に溝内部から雌ネジを溝開口に臨ませた状態で前記リップに当接する当接部を設けたナットに関して、前記ナットを保持した状態で溝開口から溝内部に装入される保持具を構成しており、前記保持具は、雌ネジの両端を露出させた状態でナットを保持する保持部と、雌ネジの軸線に臨んで保持部から離間した位置に配置される接支部を備えた弾性支持部を備え、前記保持部は、横幅Ｗ４を前記内部幅Ｗ１に対してＷ４＜Ｗ１に形成されると共に保持したナットを含む厚みＴを前記開口幅Ｗ２に対してＴ＜Ｗ２に形成され、前記弾性支持部は、保持部の幅方向の側部に形成された基部から前記接支部に向けて傾斜方向に延びる変形自在部を形成し、前記変形自在部は、雌ネジの軸線方向における前記当接部から接支部までの距離に関して、非変形時には距離Ｌ１を前記深さＤに対してＤ＜Ｌ１とした状態で保形されると共に、変形時には距離Ｌ２を前記開口幅Ｗ２に対してＬ２＜Ｗ２とするまで弾性変形可能となるように構成されて成る点にある。
【００１２】
前記保持具は、前記保持部と前記弾性支持部をプラスチックにより一体成形しており、前記弾性支持部は、前記変形自在部を前記基部から片持ち状に延設し、先端の自由端部に前記接支部を設けている。
【００１３】
前記弾性支持部は、前記変形自在部に前記接支部に向けて湾曲する弓状部を形成することが好ましく、前記接支部を折返し方向に湾曲させることによりアール部を設けることが好ましい。
【００１４】
前記保持部の幅方向の側部には、前記変形自在部の傾斜方向に向けて傾斜するテーパ面を形成することが好ましい。
【００１５】
前記ナットと共に前記保持具を溝内部に装入し、前記当接部をリップに当接させた状態で、前記リップの間に嵌入する廻り止め手段を前記ナットと前記保持具の少なくとも一方に設けることができる。
【発明の効果】
【００１６】
本発明によれば、保持具８の保持部９にナット３を保持させた状態で、溝開口２ｄに対してナット３と共に保持具８を横向き姿勢として挿入することができ、溝内部２ａに押し込まれた保持具８を更に押し込むことにより、溝内部２ａで好適に姿勢が変更され、ナット３を所定姿勢とした状態で保持することが可能になるという効果がある。
【図面の簡単な説明】
【００１７】
【図１】本発明の１実施形態に関してナットと保持具を分離状態で示す斜視図である。
【図２】ナットを保持した保持具と溝付き部材の関係を示す斜視図である。
【図３】ナット保持装置を示しており、（Ａ）はナットと保持具を示す断面図、（Ｂ）はナットを保持した状態の保持具と溝付き部材を示す断面図である。
【図４】ナット保持装置を溝部に装入する際の作用に関して、（Ａ）は溝開口に挿入する前の状態を示す断面図、（Ｂ）は溝開口に挿入中の状態を示す断面図である。
【図５】ナット保持装置を溝部に装入する際の作用に関して、（Ａ）は溝開口から溝内部に向けて傾斜姿勢で挿入された状態を示す断面図、（Ｂ）は傾斜姿勢とされたナット保持装置を溝底に向けて押し込んだときの作用を示す断面図である。
【図６】ナット保持装置を溝部に装入する際の作用に関して、（Ａ）は溝内部で所定姿勢となるように姿勢変更された状態を示す断面図、（Ｂ）は装入が完了した状態を示す断面図である。
【図７】ナット保持装置を溝形状が異なる溝付き部材に装入する場合の作用に関して、（Ａ）は溝開口を通過する状態を示す断面図、（Ｂ）は溝開口から溝内部に向けて傾斜姿勢で挿入された状態を示す断面図、（Ｃ）は装入が完了した状態を示す断面図である。
【図８】ナット及び廻り止め手段に関する別の実施形態を示しており、（Ａ）はナットと保持具を分離状態で示す斜視図、（Ｂ）はナットを保持具により保持した状態を示す斜視図である。
【発明を実施するための形態】
【００１８】
以下図面に基づいて本発明の好ましい実施形態を詳述する。
【００１９】
図１ないし図６に示す実施形態において、ナットを装入するための型材等の溝付き部材１の溝部２は、溝内部２ａに位置して溝底２ｂの両側に段状部２ｃ、２ｃを設けた断面Ｔ字形に形成されており、溝開口２ｄに臨んで両側から対向する一対のリップ１ａ、１ａを突設することにより、図３（Ｂ）に示すように、溝部２の内部幅Ｗ１よりも開口幅Ｗ２を狭くするように形成されており、前記溝底２ｂから前記リップ１ａまでの深さＤを規定するように形成されている。
【００２０】
図１及び図３に示すように、ナット３は、金属加工により形成され、雌ネジ４を貫設したボディ５の上部に幅方向の両側に張出すフランジ６、６を設け、該フランジ６、６の上面に当接部６ａ、６ａを構成すると共に、該当接部６ａ、６ａの間に位置してフランジよりも上方に隆起する隆起部７を形成し、該隆起部７の両側縁部により廻り止め手段７ａ、７ａを構成している。この際、図３（Ａ）に示すように、ナット３は、厚みｔ１が前記溝部２の開口幅Ｗ２に対して、ｔ１＜Ｗ２となるように形成されており、また、横幅Ｗ３が前記溝部２の内部幅Ｗ１及び開口幅Ｗ２に対して、Ｗ１＜Ｗ３＜Ｗ２となるように形成されている。
【００２１】
これにより、後述するようにナット３を溝部２に装入したとき、前記当接部６ａ、６ａが溝内部２ａからリップ１ａ、１ａに当接すると共に、廻り止め手段７ａ、７ａが溝開口２ｄ（リップ１ａ、１ａの先端縁の間）に嵌入される。
【００２２】
保持具８は、プラスチックにより一体成形され、雌ネジ４の両端を露出させた状態でナット３を保持する盤状の保持部９と、該保持部９の幅方向の一方の側部（以下、第１側部９ａという。）から延設された弾性支持部１０を備えている。
【００２３】
前記保持部９は、ナット３のボディ５を貫通状態で保持する保持孔１１と、ナット３のフランジ６、６を嵌入させる段状凹部１２を形成しており、前記フランジ６の当接部６ａを該保持部９の上面とほぼ面一となるようにナット３を埋入状に保持する。図示実施形態の場合、保持部９の幅方向の他方の側部（以下、第２側部９ｂという。）にはＶ溝１３が形成されている。この際、図３（Ａ）に示すように、保持部９は、厚みｔ２が前記溝部２の開口幅Ｗ２に対して、ｔ２＜Ｗ２となるように形成されており、また、横幅Ｗ４が前記溝部２の内部幅Ｗ１及び開口幅Ｗ２に対して、Ｗ１＜Ｗ４＜Ｗ２となるように形成されている。
【００２４】
図３（Ｂ）に示すように、保持部９にナット３を保持させた状態で、ナット３を含む保持部９の厚みＴは、前記溝部２の開口幅Ｗ２に対して、Ｔ＜Ｗ２とするように構成されている。図示実施形態の場合、保持部９の厚みｔ２とナットの厚みｔ１がｔ２＜ｔ１とされており、前記厚みＴは、ナット３の厚みｔ１と等しいが、保持部９を分厚く形成することにより厚みＴが図示の例よりも増す場合でも、Ｔ＜Ｗ２が条件となる。
【００２５】
前記弾性支持部１０は、前記保持部９の第１側部９ａに連設された基部１４から、雌ネジ４の軸線Ａ（図３（Ａ）参照）に臨んで保持部９から離間した位置に配置される接支部１５に向けて、傾斜方向に延びる変形自在部１６を構成している。この点に関して、前記保持部９の第１側部９ａは、前記変形自在部１６の傾斜方向に向けて傾斜するテーパ面１７を形成している。
【００２６】
図示実施形態の場合、前記弾性支持部１０は、保持部９の第１側部９ａに連設した前記基部１４から変形自在部１６を片持ち状に延設し、先端の自由端部に前記接支部１５を設けているが、保持部９の第２側部９ｂから同様の弾性支持部を設けることにより、左右一対の弾性支持部を構成しても良い。
【００２７】
前記弾性支持部１０は、図示のように、窓孔１８を開設することにより、相互に独立して変形可能な左右一対の変形自在部１６、１６を形成することが好ましいが、窓孔を有しないシート状に形成しても良い。
【００２８】
前記変形自在部１６は、前記接支部１５に向けて湾曲する弓状部１９を形成することが好ましく、前記接支部１５は、折返し方向に湾曲させられたアール部２０を形成することが好ましい。
【００２９】
図３（Ｂ）に示すように、前記変形自在部１６は、雌ネジ４の軸線方向における前記当接部６ａから接支部１５までの距離に関して、非変形時には距離Ｌ１を前記溝部２の深さＤに対して、Ｄ＜Ｌ１とした状態で保形されるが、変形時には距離Ｌ２を前記溝部２の開口幅Ｗ２に対して、Ｌ２＜Ｗ２とするまで弾性変形が可能である。つまり、変形自在部１６は、プラスチックにより保持具８が成形された状態においては、前記距離Ｌ１を保持するように保形されているが、接支部１５を保持部９に向けて押圧すると、少なくとも前記距離Ｌ２まで保持部９に向けて近接するように変形させることができる。
【００３０】
（使用方法及び作用）
上記実施形態に基づいてナット３を溝付き部材１の溝部２に装入するためには、図２に示すように、保持具８の保持部９にナット３を保持させた状態で、溝開口２ｄに対してナット３と共に保持具８を横向き姿勢として挿入すると共に、溝内部２ｂに押し込まれた保持具８を更に押し込めば良く、これにより、保持具８が溝内部２ｂで好適に姿勢を変更し、ナット３を所定姿勢とした状態で保持する。以下、図４ないし図６に基づき、順を追って説明する。
【００３１】
先ず、図４（Ａ）に示すように、ユーザがナット３を保持した保持具３を指先で摘まむことにより弾性支持部１０を保持部９に向けて前記距離Ｌ２（Ｌ２＜Ｗ２）となるように弾性変形させた状態で、弾性支持部１０の自由端側の接支部１５と保持部９の第１側部９ｂを溝開口２ｄに向けて挿入する。
【００３２】
この際、弾性支持部１０が十分に弾性変形されておらず、距離Ｌ２がＬ２≧Ｗ２とされている場合でも、溝開口２ｄに臨む接支部１５がアール部２０を形成し、該アール部２０に続く変形自在部１６が弓状部１９を形成しているので、前記アール部２０と保持部９の第２側部９ｂを溝開口２ｄに挿入させることができれば、その後は、保持具８を押し込むだけで、変形自在部１６がリップ１ａに押されて距離Ｌ２（Ｌ２＜Ｗ２）とするまで自動的に弾性変形される。
【００３３】
図４（Ｂ）に示すように、溝開口２ｄに挿入したとき、弾性支持部１０がリップ１ａに弾接することにより、ナット３及び保持具８を溝開口２ｄの内部に保持するので、その状態で、ユーザは、指先により保持具８を溝内部２ａに押し込めば良い。
【００３４】
図４（Ｂ）に示す状態から僅かに押し込んでやれば、保持具８は、変形自在部１６の弓状部１９が溝開口２ｄ（リップ１ａの先端）を通過するや否や復元を開始することにより、リップ１ａとの間で弾発付勢力を生じるので、図５（Ａ）に示すように、保持具８は、斜め下方に跳ね飛ばされ、溝内部２ａで傾斜姿勢を保持する。この傾斜姿勢とされた状態で、弾性支持部１０は、元の形状に復元し、保持部９の第２側部９ｂのＶ溝１３を一方の段状部２ｃに臨ませ、弾性支持部１０の接支部１５を他方の段状部２ｃに臨ませた状態で、保持部９の第１側部９ａを溝開口２ｄに臨ませている。
【００３５】
そこで、図５（Ｂ）に示すように、ユーザの指先で溝開口２ｄに臨ませられた保持部９を溝底２ｂに向けて押し込むと、弾性支持部１０の接支部１５を溝底２ｂに接支した状態で変形自在部１６が弾性変形され、保持部９が傾斜姿勢から水平姿勢に向けて姿勢変更しながら第１側部９ａをリップ１ａの先端面に当接する。この際、第１側部９ａにはテーパ面１７が形成されているので、該テーパ面１７がリップ１ａの先端面に沿って摺動し、弾性支持部１０を該テーパ面１７と溝底２ｂの間で好適に弾性変形させることができる。
【００３６】
前記保持部９の第１側部９ａ（テーパ面１７）がリップ１ａの先端面を通過して溝内部２ａに至ると、図６（Ａ）に示すように、弾性支持部１０を弾性変形した状態で、保持具８が概ね水平姿勢とされ、ナット３の当接部６ａ、６ａをリップ１ａ、１ａに臨ませる。
【００３７】
従って、この状態からユーザの指先を溝開口２ｄから退かせれば、図６（Ｂ）に示すように、弾性支持部１０の復元弾発力により保持部９が押し上げられ、ナット３の廻り止め手段７ａ、７ａを溝開口２ｄの縁部に嵌入すると共に、当接部６ａ、６ａをリップ１ａ、１ａに当接する。これにより、ナット３は、保持具８により、溝内部２ａの所定位置に所定姿勢で保持され、装入を完了する。
【００３８】
図６（Ｂ）に鎖線で示すように、装入された状態で、弾性支持部１０が依然として弾力を作用し、当接部６ａ、６ａをリップ１ａ、１ａに弾接していることが好ましく、これにより、ナット３及び保持具８は、溝部２の長手方向に遊動させられることはなく、所定位置に保持される。
【００３９】
しかしながら、保持具８の保持位置を溝部２の長手方向に向けて変更する必要があるときは、ユーザの指先で簡単に移動させることができる。保持具８に押し込み力を与えることにより、当接部６ａ、６ａは、リップ１ａ、１ａに対する摩擦力を軽減する。その際、弾性支持部１０は接支部１５を溝底２ｂに強く弾接することになるが、接支部１５はアール部２０を形成しているので、溝底２ｂに沿って容易に摺動可能であり、これにより、保持具８を溝部２の長手方向に移動させることができる。
【００４０】
（溝形状が異なる溝付き部材に使用する場合の例示）
上記のナット３と保持具８により構成したナット保持装置は、図７に示すように、溝形状が異なる溝付き部材１に対しても適用可能である。
【００４１】
図示の溝付き部材１は、上述の段状部２ｃ、２ｃを有しない断面コ字形ないしＵ字形の溝部２を形成している。この場合でも、ナット３を保持した保持具８は、上述した説明と同様、図７（Ａ）に示すように、溝開口２ｄを通過させると共に、図７（Ｂ）に示すように、溝内部に傾斜姿勢で挿入された状態から、第１側部９ａのテーパ面１７をリップ１ａの先端面に沿わせると共に押し込むことが可能であり、図７（Ｃ）に示すように、装入状態で、ナット３の廻り止め手段７ａ、７ａを溝開口２ｄの縁部に嵌入すると共に、当接部６ａ、６ａをリップ１ａ、１ａに当接し、溝内部２ａの所定位置に所定姿勢で保持される。
【００４２】
（別の実施形態）
図８は、ナット３及び廻り止め手段７ａに関する別の実施形態を示しており、ナット３は、汎用の六角ナットにより構成され、保持具８の保持部９に保持された状態で、該六角ナットの上面に、溝開口２ｄを形成するリップ１ａ、１ａの下面に当接可能な当接部６ａ、６ａを備えている。
【００４３】
そこで、廻り止め手段７ａ、７ａは、保持具８の保持部９に隆起部７を形成し、該隆起部７の側縁部により構成している。
【００４４】
その他の構成は、図１ないし図６に基づいて上述した実施形態と同様である。
【００４５】
以上の通り、何れの実施形態においても、本発明の溝部装入用ナット保持装置は、保持具８の保持部９にナット３を保持させた状態で、溝開口２ｄに対してナット３と共に保持具８を横向き姿勢として挿入することができ、溝内部２ａに押し込まれた保持具８を更に押し込むことにより、溝内部２ａで好適に姿勢が変更され、ナット３を所定姿勢とした状態で保持することが可能となる。
【符号の説明】
【００４６】
１  溝付き部材
１ａ  リップ
２  溝部
２ａ  溝内部
２ｂ  溝底
２ｃ  段状部
２ｄ  溝開口部
３  ナット
４  雌ネジ
５  ボディ
６  フランジ
６ａ  当接部
７  隆起部
７ａ  廻り止め手段
８  保持具
９  保持部
９ａ  第１側部
９ｂ  第２側部
１０  弾性支持部
１１  保持孔
１２  段状凹部
１３  Ｖ溝
１４  基部
１５  接支部
１６  変形自在部
１７  テーパ面
１８  窓孔
１９  弓状部
２０  アール部
【図１】
2017115956.tif 000003
【図２】
2017115956.tif 000004
【図３】
2017115956.tif 000005
【図４】
2017115956.tif 000006
【図５】
2017115956.tif 000007
【図６】
2017115956.tif 000008
【図７】
2017115956.tif 000009
【図８】
2017115956.tif 000010